(57)【要約】【課題】  照明装置に調光のために備えられたＰＷＭ調光回路基板が付加され、さらに、そのＰＷＭ調光回路基板が発生するノイズ音の解消のために電気回路基板や機構的手段が必要になり、照明装置の構成が煩雑になってしまうという問題があった。【解決手段】  照明装置は、光源である発光ダイオードモジュール１３０と、この発光ダイオードモジュール１３０に駆動電圧を供給する電源供給部１２５と、各種入力信号を受けて発光ダイオードモジュール１３０へ流れる電流を制御する電流制御部１０５と、発光ダイオードモジュール１３０の発光状態を制御して調光する調光制御部１００とを備えている。調光制御部１００は、能動素子を含まずに受動素子によって構成されている。【選択図】  図１
2016018765.tif 000002
【特許請求の範囲】
【請求項１】
光源である発光ダイオードモジュールと、
前記発光ダイオードモジュールに駆動電圧を供給する電源供給部と、
各種入力信号を受けて前記発光ダイオードモジュールへ流れる電流を制御する電流制御部と、
前記発光ダイオードモジュールの発光状態を制御して調光する調光制御部と、を備えた照明装置であって、
前記調光制御部は、能動素子を含まずに受動素子によって構成されていることを特徴とする照明装置。
【請求項２】
前記調光制御部を構成する受動素子が、可変抵抗器と固定抵抗器であることを特徴とする請求項１に記載の照明装置。
【請求項３】
前記調光制御部において、前記可変抵抗器だけが他の電子部品と離隔して筺体に取付けられていることを特徴とする請求項２に記載の照明装置。
【請求項４】
前記可変抵抗器と前記調光制御部を構成する他の前記受動素子とは、コネクタによって有線接続されていることを特徴とする請求項２又は請求項３のいずれかに記載の照明装置。
【請求項５】
前記調光制御部の前記可変抵抗器は、前記筺体の外部に操作部を有し、前記操作部を操作することにより前記筺体の外部から調光可能であることを特徴とする請求項２乃至請求項４のいずれかに記載の照明装置。
【請求項６】
前記電流制御部の入力部は、高入力インピーダンスであることを特徴とする請求項１乃至請求項５のいずれかに記載の照明装置。
【発明の詳細な説明】
【技術分野】
【０００１】
本発明は、ＬＥＤ等の光源の明るさを加減する調光回路を備える照明装置の改良に関するものである。 
【背景技術】
【０００２】
近年、照明分野においては、光源として、ＬＥＤ（Light Emitting Diode）素子が盛んに使用され、その用途も多様化している。このＬＥＤ素子は、白熱電球と比べ長寿命で応答性が速く、構造上コンパクトに実装できる。さらに、最近、ＬＥＤを光源とする照明装置（以下、「ＬＥＤ照明装置」と記す場合もある）においても、従来の白熱球と同様、照明の明るさを調節できる、すなわち、調光機能を有するものに対する要望が強くなってきた。 
【０００３】
このような事情を考慮して、調光機能を有するＬＥＤ照明装置が、従来からいくつか提案されている（例えば、特許文献１を参照）。 
【０００４】
このようなＬＥＤ照明装置を調光する調光方式には、一般に、ＰＷＭ（Pulse Width Modulation）調光方式とＤＣ調光方式の２つの方式が知られている。特許文献１に記載の照明装置は、それら２つの方式のうち、ＰＷＭ調光方式を利用するものである。 
【０００５】
このＰＷＭ調光方式を採用したＬＥＤ照明装置では、パルス幅可変の矩形波信号よりなる調光信号が入力されると、その調光信号の１周期に占めるＯＮ期間（またはＯＦＦ期間）の割合（つまり、デューティー比）に比例する電圧値を発生させる。そして、この照明装置では、調光信号のデューティー比に比例する電圧値を用いて、ＬＥＤが調光されている。例えば、５０％のデューティー比であれば、ＬＥＤの出力を５０％とし、７５％のデューティー比であれば、ＬＥＤの出力を７５％にする。
【先行技術文献】
【特許文献】
【０００６】
【特許文献１】特開２００３−１５７９８６号公報
【発明の概要】
【発明が解決しようとする課題】
【０００７】
しかし、このＰＷＭ調光方式は、矩形波信号を用いて、ＬＥＤを調光するため、ノイズ音が発生し易く、ＯＮ／ＯＦＦの周波数の如何によっては、周囲の回路部と干渉を引き起こすことがある。特に、調光（光量）下限のときには、ＯＮ時間は短くなることから、ノイズ音の発生や周辺回路部との干渉が顕著になる。中でも、ノイズ音の発生は、シーリングライトのような、住宅などの居室や事務所などの天井に取り付けられる照明装置の場合には、利用者にとって非常に煩わしいものであった。 
【０００８】
そのため、照明装置に調光のために備えられたＰＷＭ調光回路基板が付加され、さらに、そのＰＷＭ調光回路基板が発生するノイズ音の解消のために電気回路基板や機構的手段が必要になり、照明装置の構成が煩雑になってしまうという問題も併発していた。
【０００９】
本発明が解決しようとする課題は、上記の問題点に鑑み、ノイズ音の発生の虞があるＰＷＭ調光回路基板を付加することなく、簡単な回路によりノイズ音の発生を回避しつつ調光することができる照明装置を提供することにある。
【課題を解決するための手段】
【００１０】
本発明は、上記の課題を解決するための第１の手段として、光源である発光ダイオードモジュールと、この発光ダイオードモジュールに駆動電圧を供給する電源供給部と、各種入力信号を受けて発光ダイオードモジュールへ流れる電流を制御する電流制御部と、発光ダイオードモジュールの発光状態を制御して調光する調光制御部と、を備えた照明装置であって、調光制御部は、能動素子を含まずに受動素子によって構成されていることを特徴とする照明装置を提供するものである。
【００１１】
本発明は、上記の課題を解決するための第２の手段として、上記第１の解決手段において、調光制御部を構成する受動素子が、可変抵抗器と固定抵抗器であることを特徴とする照明装置を提供するものである。
【００１２】
本発明は、上記の課題を解決するための第３の手段として、上記第２の解決手段において、調光制御部において、可変抵抗器だけが他の電子部品と離隔して筺体に取付けられていることを特徴とする照明装置を提供するものである。
【００１３】
本発明は、上記の課題を解決するための第４の手段として、上記第２又は第３のいずれかの解決手段において、可変抵抗器と調光制御部を構成する他の受動素子とは、コネクタによって有線接続されていることを特徴とする照明装置を提供するものである。
【００１４】
本発明は、上記の課題を解決するための第５の手段として、上記第２乃至第４のいずれかの解決手段において、調光制御部の可変抵抗器は、筺体の外部に操作部を有し、この操作部を操作することにより筺体の外部から調光可能であることを特徴とする照明装置を提供するものである。
【００１５】
本発明は、上記の課題を解決するための第６の手段として、上記第１乃至第５のいずれかの解決手段において、電流制御部の入力部は、高入力インピーダンスである照明装置を提供するものである。
【発明の効果】
【００１６】
本発明によれば、上記のように、電力利得のない受動素子を使用して、発光ダイオードモジュールに流れる電流自体を制御して調光しているため、ノイズ音の発生の虞があるＰＷＭ調光回路基板を付加せずに、簡単な回路により調光することができる実益がある。
【図面の簡単な説明】
【００１７】
【図１】本発明の照明装置に用いられる点灯装置の概略回路図である。
【図２】本発明の照明装置の外観斜視図である。
【図３】図２におけるＡ−Ａ線断面図である。
【発明を実施するための形態】
【００１８】
以下、本発明の詳細を図示の実施形態によって説明する。 
【００１９】
本発明の照明装置１は、発光ダイオードモジュール１３０を点灯させる点灯回路を備え、この点灯回路は、図１に示すように、操作ボリュームＶＲにより発光ダイオードモジュール１３０の調光を行うことができる。この点灯回路は、図１に示すように、光源である発光ダイオードモジュール１３０と、この発光ダイオードモジュール１３０に駆動電圧Ｂを供給する電源供給部１２５と、各種入力信号を受けて発光ダイオードモジュール１３０へ流れる電流を制御する電流制御部１０５と、操作ボリュームＶＲを含み発光ダイオードモジュール１３０の発光状態を制御して調光する調光制御部１００とを備えている。
なお、実施形態の一例として、スポットライトを用いているが、他の形態の照明装置でもよい。
【００２０】
電源供給部１２５は、図１に示すように、発光ダイオードモジュール１３０の一端（アノード側）に電気的に接続されて、発光ダイオードモジュール１３０に電流が流れる状態となっているときに、駆動電圧Ｂを供給して、発光ダイオードモジュール１３０を発光させる。
【００２１】
電流制御部１０５は、図１に示すように、第１端子１０５ａ、第２端子１０５ｂ及び制御端子１０５ｃを有し、第１端子１０５ａは発光ダイオードモジュール１３０のカソード側に電気的に接続され、第２端子１０５ｂは参照電位（例：アース）に電気的に接続され、制御端子１０５ｃは調光制御部１００から出力される制御信号を受信する。この電流制御部１０５は、図１に示すように、ダイオード等の定電流制御素子１１０、トランジスタ又はＭＯＳ−ＦＥＴ等のスイッチング素子１１５及び電流検知抵抗１３５により構成されている。
【００２２】
図１に示すように、スイッチング素子１１５の第１ソース／ドレインは、第１端子１０５ａに電気的に接続され、第２ソース／ドレインは、前記第２端子１０５ｂに電気的に接続されている。これにより、スイッチング素子１１５は、導通により発光ダイオードモジュール１３０へ電流が流れるのを許容し、切断により発光ダイオードモジュール１３０への電流の流れを遮断させる。
【００２３】
定電流制御素子１１０の出力１１０ａは、図１に示すように、スイッチング素子１１５のゲートに電気的に接続され、電流検知抵抗１３５から出力される検知信号と調光制御部１００から出力される制御信号に基づいてゲート制御信号を出力してスイッチング素子１１５の状態を制御する。また、図１に示すように、スイッチング素子１１５のゲートは、電源供給部１２５に、抵抗器１４０を通して接続されている。定電流制御素子１１０の入力は二つあり、一方は調光制御部１００から出力される制御信号が入力される入力１１０ｂ、他方は電流検知抵抗１３５から出力される検知信号が入力される入力１１０ｃである。また、電源供給部１２５から一定の電圧Ｂが出力され、発光ダイオードモジュール１３０を発光させる。
【００２４】
調光制御部１００は、本発明においては、能動素子を含まずに受動素子によって構成されている。具体的には、調光制御部１００は、図１に示すように、固定抵抗器Ｒ１、Ｒ２及び可変抵抗器である操作ボリュームＶＲで構成されている。この操作ボリュームＶＲは、電源供給部１２５から電圧Ｂが供給される直列接続された固定抵抗器Ｒ１、Ｒ２にコネクタ２００を介して直列に接続されている。操作ボリュームＶＲの抵抗値により設定される調光制御電圧Ｖｃは、定電流制御素子１１０の入力１１０ｂに出力され、定電流制御素子１１０からは調光出力電圧Ｖｏが出力され、この調光出力電圧Ｖｏによりスイッチング素子１１５の導通が制御される。このときのスイッチング素子１１５が導通すると、電源供給部１２５から発光ダイオードモジュール１３０へ電流が流れ操作ボリュームＶＲの抵抗値に応じた状態で発光ダイオードモジュール１３０が点灯する。したがって、後述するツマミ２２を回して、操作ボリュームＶＲの抵抗値を変化させることで、スイッチング素子１１５に流れる電流が変化し調光することができる。このように、本発明の照明装置１では、発光ダイオードモジュール１３０に流れる電流自体を制御して調光しているため、ノイズ音の発生の虞があるＰＷＭ調光回路基板を付加せずに、簡単な回路により調光することができる。
【００２５】
定電流制御素子１１０は入力インピーダンスが高く、電流検知抵抗１３５で検出した検出電圧Ｖｓと操作ボリュームＶＲで設定された調光制御電圧Ｖｃとを誤差なく検出できる。そのため、発光ダイオードモジュール１３０にチラツキなどの影響を与えることなく、調光を行うことができる。
【００２６】
可変抵抗器である操作ボリュームＶＲは、図２及び図３に示すように筺体１０の背面１０ａに取付けられ、この筺体１０の外部へ突出した軸２１を介してツマミ２２に連結されている。したがって、ユーザーはこのツマミ２２を回転させることで調光作業を行える。なお、電源供給部１２５、操作ボリュームＶＲを除いた調光制御部１００及び電流制御部１０５を構成する電子部品は、図３に示すように、１枚または複数の回路基板３０に配置され、筺体１０内に収納されているので、操作ボリュームＶＲとこの回路基板３０は、図３に示すように、電線４０を介して、操作ボリュームＶＲ側のコネクタ４１と回路基板３０に取付けたコネクタ４２によって電気的に接続される。
【００２７】
上記に基づき、ＰＷＭ調光回路などを使わずとも、簡単な回路により調光することができる照明装置が実現できる。 
【符号の説明】
【００２８】
１        ・・・照明装置
１０      ・・・筺体
１０ａ    ・・・背面
２１      ・・・軸
２２      ・・・ツマミ
３０      ・・・回路基板
４０      ・・・電線
４１、４２・・・コネクタ
１００    ・・・調光制御部
１０５    ・・・電流制御部
１１０    ・・・定電流制御素子
１１５    ・・・スイッチング素子
１２５    ・・・電源供給部
１３０    ・・・発光ダイオードモジュール
１３５    ・・・電流検知抵抗
ＶＲ      ・・・操作ボリューム（可変抵抗器）
【図１】
2016018765.tif 000003
【図２】
2016018765.tif 000004
【図３】
2016018765.tif 000005